(57)【要約】【課題】テキストデータや画像データがページに配置されたアルバムを作成したときに発生する間違いを、ユーザが認識し易くすることを目的とする。【解決手段】テキストデータや画像データを所定の項目に設定してページ上に配置することによりアルバムを作成する。所定の項目に入力されたテキストデータまたは画像データの内容や、項目の種類、項目が配置されている場所に応じて、項目毎に確認の要否を設定し、項目毎に確認用ダイアログの表示／非表示を制御する。【選択図】図１
2010165068.tif 000002
【特許請求の範囲】
【請求項１】
テキストデータまたは画像データを所定の項目に設定して各ページに配置することによりアルバムを編集するためのアルバム編集装置であって、
前記アルバムを確認するための確認指示を受け付ける受け付け手段と、
前記受け付け手段により確認指示を受け付けたことに応答して、前記所定の項目に前記テキストデータまたは前記画像データが設定されているか否かを判定する判定手段と、
前記判定手段による判定結果に応じて、前記所定の項目をダイアログに表示するよう制御する表示制御手段とを備えたことを特徴とするアルバム編集装置。
【請求項２】
前記表示制御手段は、前記判定結果が、前記テキストデータまたは前記画像データが前記所定の項目に設定されていないと示すとき前記ダイアログを表示するよう制御することを特徴とする請求項１に記載のアルバム編集装置。
【請求項３】
前記表示制御手段は、前記判定結果が、前記テキストデータまたは前記画像データが前記所定の項目に設定されていると示すとき前記ダイアログを表示するよう制御することを特徴とする請求項１に記載のアルバム編集装置。
【請求項４】
前記所定の項目は所定のページに配置されていることを特徴とする請求項１乃至３のいずれか１項に記載のアルバム編集装置。
【請求項５】
前記所定の項目は所定の場所に配置されていることを特徴とする請求項１乃至４のいずれか１項に記載のアルバム編集装置。
【請求項６】
前記所定の項目に配置された画像データまたはテキストデータを解析する解析手段をさらに備え、
前記表示制御手段は、さらに前記解析手段による解析結果に応じて、前記所定の項目を前記ダイアログに表示するよう制御することを特徴とする請求項１乃至５のいずれか１項に記載のアルバム編集装置。
【請求項７】
前記所定の項目に重みを付与する付与手段をさらに備え、
前記表示制御手段は、前記重みに従った強調表示で前記所定の項目を前記ダイアログに表示するよう制御することを特徴とする請求項１乃至５のいずれか１項に記載のアルバム編集装置。
【請求項８】
前記表示制御手段は、前記所定の項目を拡大して前記ダイアログに表示するよう制御することを特徴とする請求項１乃至７のいずれか１項に記載のアルバム編集装置。
【請求項９】
前記表示制御手段はさらに、前記所定の項目をリストに複数表示することを特徴とする請求項１乃至８のいずれか１項に記載のアルバム編集装置。
【請求項１０】
前記画像データに関する情報を取得して前記所定の項目に設定する自動入力手段と、
ユーザの操作に応答して入力された任意の情報を前記所定の項目に設定する手動入力手段とをさらに備え、
前記表示制御手段は、さらに前記所定の項目に入力された情報が前記手動入力手段により入力された情報であるか否かに応じて、前記所定の項目をダイアログに表示するよう制御することを特徴とする請求項１乃至９のいずれか１項に記載のアルバム編集装置。
【請求項１１】
前記ダイアログに表示された所定の項目に対して修正要求をする要求手段と、
前記修正要求に応答して、修正対象項目に関する情報を記憶する記憶手段とをさらに備え、
前記表示制御手段は、前記修正対象項目の編集の後、前記修正対象項目を前記ダイアログに表示するよう制御することを特徴とする請求項１乃至１０のいずれか１項に記載のアルバム編集装置。
【請求項１２】
テキストデータまたは画像データを所定の項目に設定して各ページに配置することによりアルバムを編集するためのアルバム編集装置の制御方法であって、
前記アルバムを確認するための確認指示を受け付けるステップと、
前記確認指示を受け付けたことに応答して、前記所定の項目に前記テキストデータまたは前記画像データが設定されているか否かを判定するステップと、
前記判定の結果に応じて、前記所定の項目をダイアログに表示するよう制御するステップとを備えたことを特徴とするアルバム編集装置の制御方法。
【請求項１３】
テキストデータまたは画像データを所定の項目に設定して各ページに配置することによりアルバムを編集するためのアルバム編集装置を実現するためのコンピュータに、前記アルバムを確認するための確認指示を受け付けるステップと、
前記確認指示を受け付けたことに応答して、前記所定の項目に前記テキストデータまたは前記画像データが設定されているか否かを判定するステップと、
前記判定の結果に応じて、前記所定の項目をダイアログに表示するよう制御するステップとをコンピュータに実行させることを特徴とするプログラム。
【発明の詳細な説明】
【技術分野】
【０００１】
本発明はテキストデータや画像データなどのオブジェクトデータをページに配置してアルバムを編集するための技術に関する。
【背景技術】
【０００２】
従来、ユーザがデジタルカメラで撮影した画像や、キーボードを操作して入力したテキストなどをページ上の任意の場所に配置して電子アルバムを作成することが行われている（特許文献１参照）。
【０００３】
また、専門業者がこれらの電子アルバムをプリンタ出力して印刷製本することも行われている。
【０００４】
このような電子アルバムには大量の画像やテキストが複数のページに渡って配置されているため、間違いがあっても見落とすことが多く、ユーザは納品もしくは印刷後に間違いに気付くことも多いという問題があった。
【０００５】
【特許文献１】特開２００６−０７２８５８号公報
【発明の開示】
【発明が解決しようとする課題】
【０００６】
本発明は前述の問題点に鑑み、テキストデータや画像データがページに配置されたアルバムを作成したときに発生する間違いを、ユーザが認識し易くすることを目的とする。
【課題を解決するための手段】
【０００７】
本発明のアルバム編集装置は、テキストデータまたは画像データを所定の項目に設定して各ページに配置することによりアルバムを編集するためのアルバム編集装置であって、前記アルバムを確認するための確認指示を受け付ける受け付け手段と、前記受け付け手段により確認指示を受け付けたことに応答して、前記所定の項目に前記テキストデータまたは前記画像データが設定されているか否かを判定する判定手段と、前記判定手段による判定の結果に応じて、前記所定の項目をダイアログに表示するよう制御する表示制御手段とを備えたことを特徴とする。
【０００８】
本発明のアルバム編集装置の制御方法は、テキストデータまたは画像データを所定の項目に設定して各ページに配置することによりアルバムを編集するためのアルバム編集装置の制御方法であって、前記アルバムを確認するための確認指示を受け付けるステップと、
前記確認指示を受け付けたことに応答して、前記所定の項目に前記テキストデータまたは前記画像データが設定されているか否かを判定するステップと、
前記判定の結果に応じて、前記所定の項目をダイアログに表示するよう制御するステップとを備えたことを特徴とする。
【０００９】
本発明のプログラムは、テキストデータまたは画像データを所定の項目に設定して各ページに配置することによりアルバムを編集するためのアルバム編集装置を実現するためのコンピュータに、前記アルバムを確認するための確認指示を受け付けるステップと、前記確認指示を受け付けたことに応答して、前記所定の項目に前記テキストデータまたは前記画像データが設定されているか否かを判定するステップと、前記判定の結果に応じて、前記所定の項目をダイアログに表示するよう制御するステップとをコンピュータに実行させることを特徴とする。
【発明の効果】
【００１０】
本発明によれば、ユーザはアルバムに存在する間違いを見つけ易くなるため、アルバム作成の失敗を防ぐことができる。
【発明を実施するための最良の形態】
【００１１】
（第１の実施形態）
図２は、本実施形態のアルバム編集システムの構成例を示した図である。
図２において、２０１は本実施形態のアルバム編集装置であり、コンピュータ装置（情報処理装置）によって実現される。２０２は各種データを表示するディスプレイ、２０３は代表的なポインティングデバイスであるマウス、２０４はキーボードである。２０５は写真を撮影するデジタルカメラ（撮像装置）であるが、デジタルカメラに限らず画像入力機器であればどのような機器を用いてもよい。
【００１２】
２０６はプリンタなどの印刷装置である。アルバム編集装置２０１と、アルバム印刷の注文を受け付けるＷｅｂサーバ装置２０８とはインターネット２０７経由で通信可能である。
【００１３】
図３は、ソフトウェアとハードウェアの構成例を示した図である。
図３において、３０１はハードウェアであり、３０２はハードウェア３０１上で動作するオペレーティングシステム（ＯＳ）であり、３０３はＯＳ３０２上で動作するアプリケーションソフトウェアである。アプリケーションソフトウェア３０３には、アルバム編集ソフトウェア３３１が含まれる。
【００１４】
図示していないがハードウェア３０１ではＣＰＵが、メモリや記憶装置ク３０４からＯＳ３０２やアプリケーションソフトウェア３０３を読み出し、これらに従って各モジュールを制御することにより本実施形態を実現する。
【００１５】
さらに、図３において、３０４はアルバム編集装置２０１内にあるファイルやデータを物理的に格納するハードディスクやＣＤ−ＲＷなどの記憶装置である。３２１はＯＳ３０２を構成するファイル管理システムであり、アプリケーションソフトウェア３０３がハードウェア３０１を意識せずにファイルの入出力を行えるようにする機能がある。３１１はファイル管理システム３２１が記憶装置ク３０４の読み書きを行うためのディスクＩＯインターフェイスである。
【００１６】
３２２はＯＳ３０２を構成する描画管理システムであり、アプリケーションソフトウェア３０３がハードウェア３０１を意識せずに描画を行えるようにする機能がある。３１２は描画管理システム３２２がディスプレイ２０２に描画を行うためのビデオインターフェースである。
【００１７】
３２３はＯＳ３０２を構成する入出力デバイス管理システムである。アプリケーションソフトウェア３０３がハードウェア３０１を意識せずにデジタルカメラ２０５の入力やアプリケーションソフトウェア３０３からの出力を受け取ることができるようにする機能がある。
【００１８】
３１３は入出力デバイス管理システム３２３がキーボードやマウスなどの入力、デジタルカメラ２０５への入出力、更には印刷装置２０６などの入出力を一括して管理することができるようにするＵＳＢインターフェイスである。
【００１９】
３２４はＯＳ３０２を構成するネットワーク制御システムであり、アプリケーションソフトウェア３０３がハードウェア３０１を意識せずにネットワークを制御する機能がある。３１４はネットワーク制御システムが２０７のＬＡＮ装置を介して外部のネットワーク上の機器と通信を行うためのネットワークインターフェイスである。
【００２０】
図４はアルバム編集装置２０１を実現するコンピュータ装置４００のハードウェア構成の一例を示す図である。図３と同様の構成については同符号を付与している。４０１はコンピュータ装置４００全体を制御するCentral Processing Unit（ＣＰＵ）である。４０２は変更を必要としないプログラムやパラメータを格納するRead Only Memory（ＲＯＭ）である。４０３は外部装置などから供給されるプログラムやデータを一時記憶するRandom Access Memory（ＲＡＭ）である。
【００２１】
３０４はコンピュータ装置４００に固定して設置されたハードディスクやメモリカードなどを含む記憶装置である。記憶装置ク３０４には、ＯＳやアルバム編集ソフトウェアなどのアプリケーションソフトウェアが記憶されている。３１３はユーザの操作を受け、データを入力するポインティングデバイス２０３やキーボード２０４などの入力デバイスとのインターフェイスである。
【００２２】
３１２はコンピュータ装置４００の保持するデータや供給されたデータを表示するためのディスプレイ２０２とのインターフェイスである。３１４はインターネットなどのネットワーク回線に接続するためのネットワークインターフェイスである。４０８は４０１〜４０３、３１１〜３１４の各ユニットを通信可能に接続するシステムバスである。
【００２３】
以下、図１を使用して本実施形態の確認画面の代表例を説明する。
図１において、１０１は、ディスプレイ２０２に表示される確認画面である。確認画面１０１の左側には、アルバムを構成する各ページのサムネイルを一覧表示するサムネイル表示エリア１０２を設けている。これにより、操作者はアルバム全体のページのレイアウトを確認できる。
【００２４】
１０３はアルバムを構成するページを１ページ毎に表示するページ表示エリアである。サムネイル表示エリア１０２に表示された複数のページサムネイルのいずれか１つと対応するページが拡大して表示される。さらに、ページ上に配置された確認対象項目を確認表示用ダイアログ１０４に表示して、操作者に確認を行わせる。確認対象項目は項目の内容や種類、場所に応じて動的に決定する。この決定方法については後述する。
【００２５】
１０５は確認対象項目を表示する確認表示エリアである。ここで、確認対象項目を大きく表示することによって、操作者は確認対象項目に設定された画像データやテキストデータを確認しやすくなる。例えば、テキストであれば文字入力欄に入力されている文字の誤字脱字、画像であれば正しいトリミングを行っているかの確認をより一層、正確に行えるので間違いを防ぐことができる。
【００２６】
なお、ページ表示エリア１０３での確認対象項目の表示サイズが所定のサイズより十分に大きい場合、確認表示エリア１０５の拡大表示は行わないようにしてもよい。操作者は確認を行った結果、内容が正しければ確認済ボタン１０６を押す。これに応答して、次の確認対象項目が確認表示エリアに表示され、操作者は引き続き確認を行う。確認対象項目は順次、確認表示用ダイアログ１０４に表示され、ユーザは全てのページに配置された確認対象項目を順に確認できる。また、１０８に示すように、確認対象項目をリストとして一覧表示することにより、操作者は確認作業の進捗状況を把握しやすくなる。
【００２７】
操作者は確認を行った結果、正しくない場合は修正ボタン１０７を押す。この修正要求に応答して、確認画面を編集画面に切り替えて、ユーザの修正指示の入力を受け付け、問題のある確認対象項目の修正を行う。もしくは、ユーザの操作によって修正ボタン１０７を押された確認対象項目を記憶しておき、一通りの確認作業を終えた後に、確認画面から編集画面に切り替えて、記憶された確認対象項目について一括して間違い箇所の修正指示の入力を受け付け、修正を行う。
【００２８】
本実施形態では、確認表示用ダイアログ１０４は、アルバムのページに配置される全ての項目に対して表示するのではなく、所定の条件を満たす項目のみを表示する。これにより、操作者が間違い易い項目や、間違えると目立ってしまう項目について集中して確認作業をすることが出来るとともに、全ての項目について確認する場合に比べて確認作業にかかる時間などの負荷を軽減することが可能となる。
【００２９】
次に、アルバム編集装置２０１が確認表示用ダイアログ１０４を表示するための動作を図５及び図６のフローチャートを参照しながら説明する。
まず、アルバム編集装置２０１ではアルバム編集ソフトウェアが起動しており、ディスプレイ２０２に編集画面が表示されている。アルバム編集装置２０１は編集画面上での操作者による操作入力を受け付けて、アルバムを構成する表紙ページや本文ページ、裏表紙ページなどの各ページに画像データやテキストデータを各項目に設定して配置することにより、アルバムを作成する。さらに、アルバムの背景画像や背景色を設定してもよい。
【００３０】
図７は編集画面７０１の一例を示す図である。図１の確認画面と同様の構成については同符号を付与し、説明を省略する。
【００３１】
アルバム編集装置は編集指示を受け付けると、サムネイル表示エリア１０２、ページ表示エリア１０３にリアルタイムにその結果を反映して表示する。操作者は、ページ表示エリア１０３を見ながら、項目にテキストデータや画像データを入力したり、入力を修正したりしてアルバムの作成を行う。７０４、７０５はタイトル／サブタイトルの項目の入力エリアである。入力エリア７０４に入力されたテキストデータはタイトル７０９に配置され、表示される。なお、ページ表示エリア１０３には一例として、表紙ページが表示されている。
【００３２】
本文ページでは、ページヘッダ／フッタや、章タイトル、画像ごとのコメントなどの入力ができ、入力されたテキストデータがページ表示エリア１０３に反映される。７０６はレイアウト選択エリアである。レイアウト選択エリア７０６には、いくつかのレイアウトテンプレートが表示されており、その中から選択されたレイアウトにしたがって、画像やテキストの配置が変わるようになっている。７０７、７０８は表紙／裏表紙の画像入力エリアである。ここで選んだ画像データが表紙／裏表紙に設定され、ページ表示エリア１０３に表示されることになる。
そして、操作者による確認指示の入力操作に応答して、アルバム編集装置２０１はステップＳ５０２で項目に設定されたオブジェクトの取得を行う。その後、ステップＳ５０３に進んで、そのオブジェクトがテキストデータであるか、画像データであるかを判断する。
【００３３】
ステップＳ５０３の判断の結果、取得したオブジェクトがテキストデータである場合、ステップＳ５０４に進んで文章確認判断フローへ遷移する。文章確認判断フローは図６（ａ）で詳細に説明する。
【００３４】
一方、ステップＳ５０３の判断の結果、ステップＳ５０２で取得したオブジェクトが画像データである場合にはステップＳ５０５に進んで画像確認判断フローへ遷移する。画像確認判断フローは図６（ｂ）で詳細に説明する。
【００３５】
その後、ステップＳ５１０で項目が確認対象項目か否かの判定を行う。この判定の結果、確認フラグが"０"でなければ、ステップＳ５１１にて該当する項目を確認表示用ダイアログ１０４に表示する。また、確認フラグが"０"であれば確認表示用ダイアログ１０４には表示せずに該当する項目についての処理を終了する。ステップＳ５１１で表示された確認表示用ダイアログ１０４は、操作者による確認済ボタン１０６または修正ボタン１０７の押下操作に応答して、該当する項目について処理を終了する。そして、残りの項目についても順に同様の処理を繰り返す。
【００３６】
次に、図６（ａ）のフローチャートを参照しながら文章確認判断フローの詳細について説明する。
まず、ステップＳ６０２において、アルバム編集装置はテキストデータを解析し、問題の有無を判断する。例えば、解析結果が既存の文章認識ツールを使って誤字脱字、文字表示領域に対しての文字切れや文字溢れ、使用が許可されていない文字などがテキストデータに含まれていることを示せば、問題が有ると判断する。ステップＳ６０２の判断の結果、問題がある場合は、ステップＳ６０６に進んで確認フラグを"１"に設定する。その後、ステップＳ５１０に進む。
【００３７】
一方、ステップＳ６０２の判断の結果、問題が無い場合は、ステップＳ６０３に進んで該当する項目に設定されたテキストデータが操作者の操作に応答して任意の情報が手動で入力されたものであるか否かを判定する。この判定の結果、テキストデータが手動入力ではなく、例えば、対応する画像データの撮影情報を読み出して入力されたものなど、自動入力されたものであれば、間違っている可能性は低い。したがって、確認する必要は無いと判断することができるので、ステップＳ６０７で確認フラグを"０"に設定する。
【００３８】
一方、ステップＳ６０３の判定の結果、手動で入力の場合はステップＳ６０４に進み、その項目が空欄になっているかどうかの判定を行う。この判定の結果、空欄で無ければ、ステップＳ６０６に進み、確認フラグを"１"に設定する。これにより、操作者が手動で入力したテキストデータが設定された項目には間違いのある可能性が高いので、確認用ダイアログで確認させることができる。また、ステップＳ６０４の判定の結果、空欄の場合にはステップＳ６０５に進む。
【００３９】
ステップＳ６０５においては、その項目が表紙ページに存在するかどうかの判定を行う。この判定の結果、その項目が表紙ページに存在する場合、ステップＳ６０６に進んで確認フラグを"１"に設定する。これにより、空欄であっても確認用ダイアログに表示されるので、例えば、表紙ページ上に存在するアルバムタイトルのような重要な項目については、空欄のままでよいかどうかも含めて確認させることができる。
【００４０】
一方、ステップＳ６０５の確認の結果、その項目が表紙ページではなくて本文ページに存在する場合、項目にテキストデータが設定されていなくても問題ないケースが多いので、ステップＳ６０７に進んで確認フラグを"０"に設定する。このような項目としては、例えば、本文ページに配置された画像毎に付与されるコメントであり、操作者はコメントの入力を意図的に省略することも多い。このようにして、アルバムに存在する項目に入力されたテキストデータの内容や項目の種類、項目の場所に基づき、項目毎に確認の要否を設定し、項目毎に確認用ダイアログの表示／非表示の制御を行う。
【００４１】
次に、画像確認判断フローにおいては、図６（ｂ）のフローチャートを参照しながら説明する。まず、ステップＳ６１２において、アルバム編集装置は画像データを解析し、問題の有無を判断する。例えば、既存の画像認識ツールを使って、赤目や、白飛びなどが画像データから検知されれば、問題があると判断する。問題があると判断された場合、ステップＳ６１４に進んで確認フラグを"１"に設定する。
【００４２】
一方、ステップＳ６１２の判断の結果、問題ない場合にはステップＳ６１３に進んで、その画像データがページを跨がった場所に配置されているかどうかの判断を行う。この判断の結果、その画像データがページを跨がってレイアウトされている場合、ステップＳ６１４に進んで確認フラグを"１"に設定する。例えば、画像データのうち、ページに跨る部分が製本したときのとじしろと重なって隠れてしまい、見栄えがよくないケースがあるため、操作者に確認させる必要がある。一方、ステップＳ６１３の判断の結果、その画像がページを跨がってレイアウトされていない場合、ステップＳ６１５に進んで確認フラグを"０"に設定する。
【００４３】
なお、画像確認フローの場合も文章確認フローと同様に、必須の項目が空欄かどうかの判定をしてもよい。例えば、表紙ページに画像を設定しなかった場合に、確認を行うことができるようになる。
【００４４】
前述した実施形態では、確認フラグを表示／非表示を制御するために"１"もしくは"０"に設定することについて述べたが、さらに、表示する場合に確認表示ダイアログの色など表示態様を変える場合について説明を行う。
【００４５】
例えば、図６（ａ）の文章確認判断フローにおいて、ステップＳ６０２の判定結果がＹＥＳの場合、間違いのある可能性が非常に高いので確認フラグを１．０と設定する。また、ステップＳ６０４の判定結果がＮｏの場合、間違っている可能性は低いので確認フラグを０．８と設定する。また、ステップＳ６０５の判定結果がＹＥＳの場合、間違っている可能性は非常に低いので、確認フラグを０．６と設定したとする。
【００４６】
これらの確認フラグの設定値を利用して、確認表示用ダイアログ１０４の色の変更を行う。例えば、「確認フラグの値１．０の場合：赤」、「確認フラグの値０．８の場合：オレンジ」、「確認フラグの値０．６の場合：黄色」といったように予め設定値ごとに表示色を管理しておき、これにしたがって表示制御する。このように色を変えることによって、操作者に対して問題の大きさを直感的に表すことができるので、間違いの可能性の高さに応じて操作者に注意を喚起することができ、間違いを見逃すことを防ぐことができる。
【００４７】
次に、操作者が確認表示用ダイアログ１０４の修正ボタン１０７を押した時のアルバム編集装置２０１の処理について説明する。以下に、２通りのケースそれぞれについて説明する。
【００４８】
まず、修正ボタン１０７を押した時に即座に確認画面から編集画面に移行するケースについて説明を行う。操作者により確認表示用ダイアログ１０４の修正ボタン１０７が押されて、アルバム編集装置２０１が修正要求を受け付けると、確認表示用ダイアログ１０４に表示されていた項目の識別情報を取得して保持する。そして、図１の確認表示用ダイアログ１０４を非表示にし、確認画面から図８の編集画面の表示に切り替える。
【００４９】
図８では、修正ボタン１０７がクリックされた時に確認表示用ダイアログに表示されていた項目を入力するための入力エリア８０３で「２００７年  旅行記」という文字列にフォーカスが当たっている。これにより、操作者を修正したい項目にスムーズに導くことができる。
【００５０】
ここで、操作者が正しいタイトル「２００８年  旅行記」という文字列に修正し、「修正完了」ボタン８０２をクリックすることで、アルバム編集装置は修正完了の要求を受け付けて、編集画面から確認画面の表示に戻る。そして、修正要求を受け付けた時に保持していた修正対象項目の次の項目を確認表示用ダイアログに表示し、残りの項目について引き続き確認作業を行う。操作者は項目に修正の必要がないことを確認したら、「確認済ボタン」１０６をクリックし、これに応答して、アルバム編集装置は次の項目を確認表示用ダイアログに表示する。この繰り返しを行うことで、操作者は間違いを見つけた箇所を即座に修正し、正しいアルバムの作成を行うことができる。
【００５１】
次に、操作者が修正ボタンを押した項目の識別情報を記憶しておき、アルバム全体の項目を一通り確認し終えた後に、修正対象項目を一括して修正するケースについて説明する。
図９は、全ての確認対象項目を確認表示用ダイアログに表示し、操作者が確認済ボタン１０６または修正ボタン１０７の何れかを押下して、最後の確認対象項目を確認し終えた後に表示される修正要求ダイアログの一例を示す図である。９０２は、確認対象項目の確認画面に再度戻るボタン、９０３は修正作業を開始するボタンである。
【００５２】
９０４は確認結果を表示するリストである。９０５は確認結果が問題無かった項目、すなわち確認フラグが"０"に設定された項目であり、項目名の先頭に問題無いことを示すマークとして「○」を表示する。９０６は修正を要求された項目、すなわち確認フラグが"１"に設定された項目であり、項目名の先頭に問題があることを示すマークとして「×」を表示するとともに強調表示を行う。
【００５３】
ここで、操作者が修正作業を開始するボタン９０３をクリックすると、図８の編集画面で「×」がついている項目のみ、すなわち確認フラグが"１"の項目のみの入力エリアが順に表示される。そして、編集終了後、編集画面から確認画面に表示を切り替えて、修正対象項目を順に確認表示用ダイアログに表示し、確認作業を再開することができるようになる。
【００５４】
すなわち、ここでは確認対象項目のうち、さらに修正対象項目だけについて確認作業が行われることになり、操作者は間違いの有無を再度、確認することが出来、より正確なアルバムを作成することができる。また、確認対象項目のうち、修正対象項目でなかったものは確認しないので、正しい確認対象項目を再度確認する手間を省くことが出来る。
【００５５】
このように、本実施形態によれば、アルバムに存在する項目のうち、確認対象項目を確認表示用ダイアログに表示することで、重要な項目について、操作者の確認作業の抜けを防ぐことができる。また、項目の種類や項目が存在する位置、項目に設定されたデータの内容などに基づいて、確認対象項目を選択するので、操作者は間違いの可能性の高い項目の確認作業に集中することができ、質の高いアルバム作成を効率的に行うことができる。
【００５６】
（他の実施形態）
前述した本発明の実施形態を構成する各手段は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００５７】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００５８】
なお、本発明は、前述した本実施形態における各工程を実行するソフトウェアのプログラムを、システムあるいは装置に直接、あるいは遠隔から供給する。そして、そのシステムあるいは装置のコンピュータが前記供給されたプログラムコードを読み出して実行することによっても達成される場合を含む。
【００５９】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００６０】
その場合、プログラムの機能を有していれば、オブジェクトコード、インタプリタにより実行されるプログラム、ＯＳに供給するスクリプトデータ等の形態であってもよい。
【００６１】
プログラムを供給するための記録媒体としては種々の記録媒体を使用することができる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００６２】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハードディスク等の記録媒体にダウンロードすることによっても供給できる。
【００６３】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６４】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００６５】
また、コンピュータが、読み出したプログラムを実行することによって、前述した実施形態の機能が実現される他、コンピュータ上で稼動しているＯＳなどが、実際の処理の一部または全部を行うことによっても前述した実施形態の機能が実現され得る。
【００６６】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００６７】
【図１】本発明の実施形態に係る確認画面の一例を示す図である。
【図２】本発明の実施形態に係るアルバム編集システムの構成例を示す図である。
【図３】本発明の実施形態に係るソフトウェアとハードウェアの構成例を示した図である。
【図４】本発明の実施形態に係るコンピュータ装置の一例を示す図である。
【図５】本発明の実施形態に係るアルバム編集装置が確認表示用ダイアログを表示するための動作の一例を示すフローチャートである。
【図６】本発明の実施形態に係るアルバム編集装置が実行する文章および画像確認判断フローの手順の一例を説明するフローチャートである。
【図７】本発明の実施形態に係る編集画面の一例を示す図である。
【図８】本発明の実施形態に係る編集画面の一例を示す図である。
【図９】本発明の実施形態に係る修正要求ダイアログの一例を示す図である。
【符号の説明】
【００６８】
１０１  確認画面
１０２  サムネイル表示エリア
１０３  ページ表示エリア
１０４  確認表示用ダイアログ
１０５  項目表示エリア
１０６  確認済ボタン
１０７  修正ボタン
１０８  確認対象項目リスト
【図１】
2010165068.tif 000003
【図２】
2010165068.tif 000004
【図３】
2010165068.tif 000005
【図４】
2010165068.tif 000006
【図５】
2010165068.tif 000007
【図６】
2010165068.tif 000008
【図７】
2010165068.tif 000009
【図８】
2010165068.tif 000010
【図９】
2010165068.tif 000011